(57)【特許請求の範囲】
【請求項１】
セルフクリーニング式のラジエータグリルアセンブリ（１００）であって、
開位置と閉位置との間を動くことができるフレーム（１０４）を有するラジエータハウジング（１０２）と、
上記フレーム（１０４）によって保持されるグリルプレート（１０６）を形成する複数のごみフィルタユニット（１０８）とを備え、
上記ごみフィルタユニット（１０８）の各々は、少なくとも一対のフィルタライン（１０８−Ａ）と、該各フィルタライン（１０８−Ａ）の間に配置された複数のコルゲートシート（１０８−Ｂ）とを有し、
上記複数のコルゲートシート（１０８−Ｂ）は、傾斜部（１０８−Ｄ）を形成する態様で、上記コルゲートシート（１０８−Ｂ）の間の中空スペースが上記傾斜部（１０８−Ｄ）において開口する空気通路（１０８−Ｃ）を形成するように互いに平行に配置され、
上記フィルタライン（１０８−Ａ）に隣り合う開放ごみ通路（１０８−Ｅ）と、
上記ごみフィルタユニット（１０８）を覆う少なくとも１つのバッフル（１１０）であって、該バッフル（１１０）と上記傾斜部（１０８−Ｄ）との間に空気流通路を形成する少なくとも１つのバッフル（１１０）とを備え、
上記空気流通路を通って上記空気通路（１０８−Ｃ）に流入する外気（Ｍ）は、屑および目詰まり物質が上記傾斜部（１０８−Ｄ）に押しやられて上記開放ごみ通路（１０８−Ｅ）に到達するのを上記外気（Ｍ）が促進するように、空気通路軸（１２６）に平行な移動方向を有しており、それによりセルフクリーニングを可能とするように構成されている
ことを特徴とするラジエータグリルアセンブリ。
【請求項２】
請求項１において、
上記ラジエータハウジング（１０２）の開位置または閉位置における上記フレーム（１０４）の動きを容易にするヒンジ（１１２）をさらに備えている
ことを特徴とするラジエータグリルアセンブリ。
【請求項３】
請求項１において、
上記フレーム（１０４）が、弾性リンク（１１４）によって上記グリルプレート（１０６）を保持し、それにより該グリルプレート（１０６）の支持を提供している
ことを特徴とするラジエータグリルアセンブリ。
【請求項４】
請求項１において、
上記フレーム（１０４）と上記グリルプレート（１０６）との間のスペースの全縁部は、弾性シュラウド（１１６）によって囲まれている
ことを特徴とするラジエータグリルアセンブリ。
【請求項５】
請求項４において、
上記弾性シュラウド（１１６）は、弾性リンク（１１４）を外側から全体的に覆い、
上記フレーム（１０４）および上記グリルプレート（１０６）に沿った上記弾性シュラウド（１１６）は、上記ごみフィルタユニット（１０８）を通過した空気のみの上記ラジエータハウジング（１０２）への流入を確保している
ことを特徴とするラジエータグリルアセンブリ。
【請求項６】
請求項１において、
上記バッフル（１１０）は、頂部ホルダ（１１８）と底部ホルダ（１２０）との間に一体的に保持され、
各上記バッフル（１１０）は、上記頂部ホルダ（１１８）および上記底部ホルダ（１２０）が上記グリルプレート（１０６）に固定されるときに、対応する上記ごみフィルタユニット（１０８）に近づくように構成されている
ことを特徴とするラジエータグリルアセンブリ。
【請求項７】
請求項６において、
上記頂部ホルダ（１１８）と上記底部ホルダ（１２０）とは、スペーサ（１２２）およびボルト（１２４）によって上記グリルプレート（１０６）に固定されている
ことを特徴とするラジエータグリルアセンブリ。
【請求項８】
セルフクリーニング式のラジエータグリルアセンブリ（１００）であって、
開位置と閉位置との間を動くことができるフレーム（１０４）を有するラジエータハウジング（１０２）と、
上記フレーム（１０４）によって保持されるグリルプレート（１０６）を形成する複数のごみフィルタユニット（１０８）とを備え、
上記ごみフィルタユニット（１０８）の各々は、少なくとも一対のフィルタライン（１０８−Ａ）と、該各フィルタライン（１０８−Ａ）の間に配置された複数のコルゲートシート（１０８−Ｂ）とを有し、
上記複数のコルゲートシート（１０８−Ｂ）は、傾斜部（１０８−Ｄ）を形成する態様で、上記コルゲートシート（１０８−Ｂ）の間の中空スペースが上記傾斜部（１０８−Ｄ）において開口する空気通路（１０８−Ｃ）を形成するように互いに平行に配置され、
上記空気通路（１０８−Ｃ）に流入する外気（Ｍ）は、屑および目詰まり物質が上記傾斜部（１０８−Ｄ）に押しやられるのを上記外気（Ｍ）が促進するように、空気通路軸（１２６）に平行な移動方向を有しており、それによりセルフクリーニングを可能とするように構成されている
ことを特徴とするラジエータグリルアセンブリ。
【請求項９】
請求項８において、
上記フィルタライン（１０８−Ａ）に隣り合う開放ごみ通路（１０８−Ｅ）を備え、
上記屑および上記目詰まり物質が、上記傾斜部（１０８−Ｄ）に押しやられて上記開放ごみ通路（１０８−Ｅ）に到達するように構成されている
ことを特徴とするラジエータグリルアセンブリ。
【請求項１０】
請求項９において、
上記ごみフィルタユニット（１０８）を覆う少なくとも１つのバッフル（１１０）であって、該バッフル（１１０）と上記傾斜部（１０８−Ｄ）との間に空気流通路を形成する少なくとも１つのバッフル（１１０）を備え、
上記バッフル（１１０）は、頂部ホルダ（１１８）と底部ホルダ（１２０）との間に一体的に保持され、
各上記バッフル（１１０）は、上記頂部ホルダ（１１８）および上記底部ホルダ（１２０）が上記グリルプレート（１０６）に固定されるときに、対応する上記ごみフィルタユニット（１０８）に近づくように構成されている
ことを特徴とするラジエータグリルアセンブリ。
【発明の詳細な説明】
【技術分野】
【０００１】
本発明は、概してラジエータグリルアセンブリに関する。
【背景技術】
【０００２】
ラジエータグリルは、塵埃、泥、廃棄物の破片等のような外部物質から自動車のラジエータを保護するために使用される。ラジエータグリルは、概して、何らかの外部粒子がラジエータに入るのを防止するのに役立つ金属製または樹脂製のシートに薄いスリットを有している。
【０００３】
現在知られているラジエータグリルは、孔の開いたグリル部材を有している。グリル部材は、積もった屑が重力および振動によって落ちるのを促進する。しかしながら、孔開きグリルに入る空気はグリル表面に対して垂直な方向を有しており、そのため当該空気はグリル表面に対して屑を押し付けて、グリル表面に対して平行な屑の容易な移動を許容しない。このことは屑によるグリルの閉塞を引き起こし、操作者は頻繁な休止につながるグリル部材のクリーニングを必要とする。したがって、休止が回避されるために、セルフクリーニングができるラジエータグリルアセンブリが必要である。
【０００４】
従来より、結合グリルおよび移動スクリーンのラジエータ構造体がまたよく知られている。そのような装置では、連続的に移動する循環スクリーンが屑を除去する。スクリーン自体は底部において移動ブラシによってきれいにされる。そのような構造体は通常、セルフクリーニング式のものであるが、スクリーンやブラシの連続的な移動のための追加的な駆動部およびエネルギーを必要とする。同様の目的のために使用される他の装置は、一定周期でその回転方向を逆転させるラジエータファン、または、羽根が個々の軸回りに一定周期で動くラジエータファンである。これら両方の装置では、ラジエータを通過する空気流れの方向はラジエータグリルをきれいにするために一定時間周期で逆転する。これら両方の装置は、それらを高価なものにする、空気流れを周期的に逆転させるための制御システムを必要とする。さらに、クリーニングは連続的でない。屑は、空気流れの方向が逆転するまで、グリルに積もり、当該グリルを塞ぎ、かつラジエータへの空気流れを低減し続ける。また、ファンの羽根は一定のストレスの逆転を受け、頻繁なファンの羽根の破損を回避するためにこれらの装置はより高価なファンを必要とする。
【発明の概要】
【発明が解決しようとする課題】
【０００５】
既存のラジエータグリルは、ラジエータグリルを覆うように繊維状マトリクスを形成する繊維体、屑、葉物等による目詰まりを回避できないか、あるいは、目詰まりを防止するが追加的な駆動部、追加的なエネルギー入力を必要としかつ作製および維持に高い費用がかかる。
【０００６】
上記の観点から、従来技術に関連する問題を克服するラジエータグリルの必要性が存在している。
【課題を解決するための手段】
【０００７】
したがって、本発明は、セルフクリーニング式のラジエータグリルアセンブリであって、開位置および／または閉位置に動くことができるフレームを有するラジエータハウジングと、上記フレームによって保持されるグリルプレートを形成する複数のごみフィルタユニットとを備え、上記ごみフィルタユニットの各々は、少なくとも一対のフィルタラインと、該各フィルタラインの間に配置された複数のコルゲートシートとを有し、上記複数のコルゲートシートは、該コルゲートシートの間の中空スペースが空気通路を形成するように互いに平行であり、上記空気通路に流入する外気は、目詰まり物質を傾斜部に押しやることによって該物質の除去を促進し、それによりセルフクリーニングを可能とするように構成されているラジエータグリルアセンブリを提供する。
【０００８】
有利な態様では、本発明は継続的なセルフクリーニング式のラジエータグリルを提供し、それによりラジエータへの閉塞のない空気流路を継続的に確保する。
【０００９】
本発明のセルフクリーニング特性は、ラジエータグリルの掃除のための頻繁な機械の停止を回避するという点において有利である。
【００１０】
本発明のラジエータグリルは、例えば自動車、農業機器等のような広い範囲の産業アプリケーションにおいて利用され得る。
【００１１】
本発明のラジエータグリルは、外気中の繊維状および葉状の物質を効率的に除去する。サイズの小さい少量の屑および目詰まり物質のみがラジエータに到達し得る。これらの屑および目詰まり物質は、その後、ラジエータファンによって生み出される吸引力によって吸い出される。
【００１２】
本発明のラジエータグリルは、普通に使用されるファンラジエータアセンブリと比較して、追加的な駆動部または追加的なエネルギー入力を全く必要としない。それは何らかの制御システムも必要としない。したがって、それは費用対効果が優れていて、維持するのが容易である。
【図面の簡単な説明】
【００１３】
【図１】図１は、本発明の実施形態に係るラジエータグリルアセンブリ（１００）を示す斜視図である。
【図２】図２は、本発明の実施形態に係る、少なくとも二対のフィルタライン（１０８−Ａ）および複数のコルゲートシート（１０８−Ｂ）を有するごみフィルタユニット（１０８）を示す斜視図である。
【図２Ａ】図２Ａは、本発明の実施形態に係る、少なくとも二対のフィルタライン（１０８−Ａ）および上下に配置された複数のコルゲートシート（１０８−Ｂ）を有するごみフィルタユニット（１０８）を示す図である。
【図３】図３は、本発明の実施形態に係る、ごみフィルタユニットの近くに組み付けられた２つのバッフル（１１０）を有するごみフィルタユニット（１０８）の断面平面図である。
【図４】図４は、本発明の実施形態に係る、ごみフィルタユニットの近くに組み付けられた２つのバッフル（１１０）を有するごみフィルタユニット（１０８）の断面斜視図である。
【図５】図５は、本発明の実施形態にしたがって、ごみフィルタユニット（１０８）を覆うために使用されるトップカバー（１２８）の斜視図である。
【発明を実施するための形態】
【００１４】
本発明の実施形態について言及する。その例は添付の図面に図示されている。これらの図は説明的なものであって、制限的なものではない。本発明は概してこれらの実施形態の文脈において説明されるが、本発明の範囲がこれらの特定の実施形態に限定されるものではないことを理解されたい。
【００１５】
本発明は多くの異なる形態における実施形態を受け入れることができる一方、図面および詳細な下記の説明には本発明の好ましい実施形態が記載される。本開示は、本発明の原理の例示として考えられるべきであって、また本発明の広い範囲を図示される特定の実施形態に限定することを意図するものではないことを理解されたい。
【００１６】
主題について図面を参照して説明する。同じ参照番号は全体を通して同じ要素に付してある。以下の記載では、説明の目的のために、主題の十分な理解を提供するように多数の特定の細部が記載される。しかしながら、そのような事柄がこれらの特定の細部なしでも実施され得ることが明らかだろう。他の例において、本発明の説明を容易にするために、よく知られた構造が図の形態で示されている。
【００１７】
図１は、本発明の実施形態に係るラジエータグリルアセンブリ（１００）を示している。ラジエータグリルアセンブリ（１００）は、ラジエータハウジング（１０２）と、フレーム（１０４）と、グリルプレート（１０６）と、少なくとも１つのごみフィルタユニット（１０８）と、少なくとも１つのバッフル（１１０）とを備えている。
【００１８】
ある実施形態では、ラジエータグリルアセンブリ（１００）は、ラジエータハウジング（１０２）を備えている。ラジエータハウジング（１０２）は、直方体形状であって、ラジエータ（図示せず）を収容する。フレーム（１０４）は、当該フレーム（１０４）が開位置または閉位置に動かされ得るようにラジエータハウジング（１０２）の内部に取り付けられる。フレーム（１０４）は、グリルプレート（１０６）を保持する。グリルプレート（１０６）は、複数のごみフィルタユニット（１０８）から構成されている。ごみフィルタユニット（１０８）はバッフル（１１０）で覆われる。バッフル（１１０）は、ごみフィルタユニット（１０８）の断面プロファイルに対応するように曲がった滑らかな硬いシートである。対応するごみフィルタユニット（１０８）の各々を覆う少なくとも１つのバッフル（１１０）が存在している。
【００１９】
フレーム（１０４）は、ヒンジ（１１２）によってラジエータハウジング（１０２）に取り付けられる。ヒンジ（１１２）は、ラジエータハウジング（１０２）の開位置または閉位置におけるフレーム（１０４）の動きを容易にする。フレーム（１０４）は、グリルプレート（１０６）の支持を提供する弾性リンク（１１４）によってグリルプレート（１０６）を保持する。フレーム（１０４）とグリルプレート（１０６）との間のスペースの全縁部は弾性シュラウド（１１６）によって囲まれる。弾性シュラウド（１１６）は、弾性リンク（１１４）を外側から全体的に覆う。フレーム（１０４）およびグリルプレート（１０６）に沿った弾性シュラウド（１１６）は、ごみフィルタユニット（１０８）を通過した空気のみのラジエータハウジング（１０２）への流入を確保する。弾性シュラウド（１１６）は、フレーム（１０４）とグリルプレート（１０６）とを一体的に結合させる。
【００２０】
本発明の実施形態では、複数のバッフル（１１０）が頂部ホルダ（１１８）と底部ホルダ（１２０）との間に一体的に保持されている。バッフル（１１０）は、頂部ホルダ（１１８）および底部ホルダ（１２０）がグリルプレート（１０６）に固定されるときに、ごみフィルタユニット（１０８）に近づく。頂部ホルダ（１１８）と底部ホルダ（１２０）とは、スペーサ（１２２）およびボルト（１２４）によってグリルプレート（１０６）に固定される。
【００２１】
図２は、本発明の実施形態に係るごみフィルタユニット（１０８）を示している。ごみフィルタユニット（１０８）は、少なくとも一対のフィルタライン（１０８−Ａ）と、フィルタライン（１０８−Ａ）の間に配置された複数のコルゲートシート（１０８−Ｂ）とを有しており、複数のコルゲートシート（１０８−Ｂ）は、当該コルゲートシートの間の中空スペースが空気通路（１０８−Ｃ）を形成するように互いに平行になっている。
【００２２】
ある実施形態では、コルゲートシートはフィルタラインに対して平行である。
【００２３】
ある実施形態では、コルゲートシート（１０８−Ｂ）は、図２Ａに示すように、上下に配置されている。
【００２４】
ある実施形態では、空気通路（１０８−Ｃ）は、各ごみフィルタユニット（１０８）の少なくとも一対のフィルタライン（１０８−Ａ）の間に開放ごみ通路（１０８−Ｅ）が作り出されるように傾斜部（１０８−Ｄ）において開口しており、各フィルタライン（１０８−Ａ）は、図２Ａに示すように上下に配置された複数のコルゲートシート（１０８−Ｂ）を有している。
【００２５】
本発明の動作原理について図３〜図５を参照しつつ説明する。図３には、本発明の実施形態に係る、互いに隣り合って組み付けられた２つのごみフィルタユニット（１０８）が図示されている。ラジエータファン（Ｆ）は外気を吸い込む。外気（Ｍ）は空気通路（１０８−Ｃ）に向かって複数のバッフル（１１０）の内側を流れる。いくらかの大きなまたは重たい屑および目詰まり物質はこの段階で分離される。小さなまたは軽い屑および目詰まり物質は、主にバッフル（１１０）とフィルタライン（１０８−Ａ）との間の強い外気（Ｍ）の移動によって傾斜部（１０８−Ｄ）に押しやられる。空気通路（１０８−Ｃ）に流入する外気（Ｍ）は、屑および目詰まり物質が傾斜部（１０８−Ｄ）に押しやられるのを外気（Ｍ）が促進するように、空気通路軸（１２６）に平行な移動方向を有している。傾斜部（１０８−Ｄ）に押しやられた屑および目詰まり物質は開放ごみ通路（１０８−Ｅ）に到達する。押し流された屑および目詰まり物質は、重力にしたがって開放ごみ通路（１０８−Ｅ）から落下する。サイズが非常に小さないくらかの残った屑および目詰まり物質は、空気通路（１０８−Ｃ）を通り抜けてラジエータ（図示せず）の方へ進む。
【００２６】
しかしながら、ラジエータファン（Ｆ）によって生じる吸引作用のために、空気通路（１０８−Ｃ）を通過する微小な屑および目詰まり物質は吸い出される。さらに、グリルプレート（１０６）は、エンジンの振動や自動車の運動のために連続的に振動する。このため、グリルプレート（１０６）にくっついている屑および目詰まり物質やグリルプレート（１０６）に付着した他の全ての要素が重力にしたがって落下する。
【００２７】
空気通路（１０８−Ｃ）に流入する空気は、空気通路中心軸（１２６）の方向に流れる。これにより、傾斜部（１０８−Ｄ）を横切る屑や目詰まり物質の容易な滑り移動が確保され、またラジエータグリルアセンブリ（１００）のセルフクリーニングが促進される。傾斜部（１０８−Ｄ）により、屑および目詰まり物質が空気通路（１０８−Ｃ）にくっつかずに重力にしたがって開放ごみ通路（１０８−Ｅ）に落下する。したがって、外気（Ｍ）の一定の移動により、屑および目詰まり物質が空気通路（１０８−Ｃ）に蓄積しないことが確保される。さらに、図４は、本発明の実施形態に係る、互いに隣り合って組み付けられた２つのごみフィルタユニット（１０８）を示している。
【００２８】
図５は、本発明の実施形態のごみフィルタユニット（１０８）を覆おうために使用されるトップカバー（１２８）を示している。ごみフィルタユニット（１０８）は、上方からごみが入らないように、トップカバー（１２８）によって頂部を完全に覆われる。各ごみフィルタユニット（１０８）の開放ごみ通路（１０８−Ｅ）は、蓄積されたごみが重力にしたがって落下できるように底部において開放している。
【００２９】
本発明の実施形態についての上述の詳細な説明では、さまざまな特徴が開示の合理化の目的のために単一の実施形態において一緒にまとめられている。この開示方法は、本発明の実施形態が明示的に記載されたものよりも多くの特徴を要するという意図を表すものとして解釈されるべきではない。むしろ、以下の説明が表すように、本発明の主題は、単一の開示された実施形態の全ての特徴よりも少ない。よって、以下の特徴はここで本発明の実施形態の詳細な説明に組み入れられ、各特徴は別個の実施形態として自立している。
【００３０】
いくつかの実施形態について説明したが、これは本発明を説明するためのものであって、制限するためのものではない。当業者であれば容易に想到するであろう種々の変更は、添付する特許請求の範囲において規定される本発明の範囲に含まれる。
【図１】
0006650877.tif 000002
【図２】
0006650877.tif 000003
【図２Ａ】
0006650877.tif 000004
【図３】
0006650877.tif 000005
【図４】
0006650877.tif 000006
【図５】
0006650877.tif 000007